【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
複数のアイテムを含むユーザーインターフェース表示において、検索結果に対応するアイテムをハイライトするための方法であって、
検索語の少なくとも一部を表すユーザー入力に応じて、少なくとも前記アイテムのサブセットをハイライトし、
ハイライトされた各アイテムは、検索語の前記少なくとも一部に少なくとも一部が一致するメタデータを有する少なくとも１つのアイテムを表す
ことを特徴とする方法。
【請求項２】
少なくとも１つのハイライトされたアイテムは、検索語の前記少なくとも一部に一致しないテキストラベルを含むことを特徴とする請求項１に記載の方法。
【請求項３】
前記メタデータはテキストを含むことを特徴とする請求項１に記載の方法。
【請求項４】
ハイライトされた各アイテムは、コンテナを表すことを特徴とする請求項１に記載の方法。
【請求項５】
更に、前記ユーザー入力に応じて、前記アイテムの前記少なくともサブセットをハイライトすると同時に、検索語の前記少なくとも一部に、少なくとも一部が一致するメタデータを有する少なくとも１つのアイテムのリストを含むポップアップメニューを表示し、
前記メニューにリストされた各アイテムは、前記ハイライトされたアイテムの１つにより表される少なくとも１つのコンテナ内にあるアイテムに対応することを特徴とする請求項４に記載の方法。
【請求項６】
更に、
前記メニューから前記アイテムの１つを選択するユーザー入力を受け付け、
前記ユーザーが前記メニューからアイテムの１つを選択することに応じて、前記選択されたアイテムを含むコンテナをアクティブにする
ことを特徴とする請求項５に記載の方法。
【請求項７】
前記ユーザーが前記メニューからアイテムの１つを選択することに応じて、選択されたアイテムを含む前記コンテナを表す前記アイテムの視覚的特徴に、一時的に注意を向けさせることを特徴とする請求項６に記載の方法。
【請求項８】
前記アイテムの視覚的特徴に一時的に注意を向けさせることは、前記アイテムを点滅することを特徴とする請求項７に記載の方法。
【請求項９】
更に、
前記アイテムの１つをアクティブにするユーザー入力を受け付け、
前記ユーザーが前記アイテムの１つをアクティブにすることに応じて、前記アクティブにされたアイテムに対応するコンテナをアクティブにする
ことを特徴とする請求項５に記載の方法。
【請求項１０】
更に、
前記アイテムの１つをアクティブにするユーザー入力を受け付け、
前記ユーザーが前記アイテムの１つをアクティブにすることに応じて、前記アクティブにされたアイテムに対応するコンテナ内のアイテムをアクティブにし、前記アイテムは前記メニューアイテムの１つに対応する
ことを特徴とする請求項５に記載の方法。
【請求項１１】
更に、
前記メニューから前記アイテムの１つを選択するユーザー入力を受け付け、
前記ユーザーが前記メニューから前記アイテムの１つを選択することに応じて、前記選択されたアイテムをアクティブにする
ことを特徴とする請求項５に記載の方法。
【請求項１２】
更に、
前記アイテムの１つをアクティブにするユーザー入力を受け付け、
前記ユーザーが前記アイテムの１つをアクティブにすることに応じて、前記アクティブにされたアイテムをアクティブにする
ことを特徴とする請求項１に記載の方法。
【請求項１３】
ハイライトされた各アイテムは、検索語の前記少なくとも一部に少なくとも一部が一致するメタデータを有する少なくとも１つの環境設定制御を含む環境設定ペインを表すことを特徴とする請求項１に記載の方法。
【請求項１４】
各環境設定ペインはシステム機能に関連し、各環境設定ペインは前記システム機能に関連する少なくとも１つの環境設定制御を含むことを特徴とする請求項１３に記載の方法。
【請求項１５】
アイテムをハイライトすることは、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを含むことを特徴とする請求項１に記載の方法。
【請求項１６】
前記第１のスクリーン領域は、円形であることを特徴とする請求項１５に記載の方法。
【請求項１７】
前記複数のアイテムがウィンドウ内に表示され、前記第２のスクリーン領域は、前記第１のスクリーン領域を含まないウィンドウ内の残りの領域を含むことを特徴とする請求項１５に記載の方法。
【請求項１８】
前記第２のスクリーン領域は、前記第１のスクリーン領域を含まない前記ユーザーインターフェース表示の残りの領域を含むことを特徴とする請求項１５に記載の方法。
【請求項１９】
前記第１と第２のスクリーン領域間の明るさの差は、徐々に変化することを特徴とする請求項１５に記載の方法。
【請求項２０】
前記アイテムの少なくともサブセットをハイライトすることは、
第１のタイプのハイライトを用いて、前記アイテムの少なくとも１つをハイライトし、
前記第１のタイプのハイライトと視覚的に区別可能な第２のタイプのハイライトを用いて、前記アイテムの少なくとも１つをハイライトする
ことを含むことを特徴とする請求項１に記載の方法。
【請求項２１】
前記第２のタイプのハイライトは、前記第１のタイプのハイライトよりも明るいことを特徴とする請求項２０に記載の方法。
【請求項２２】
アイテムをハイライトすることは、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを含み、
前記第２のタイプのハイライトが、前記第１のタイプのハイライトよりも明るいことを特徴とする請求項２０に記載の方法。
【請求項２３】
アイテムをハイライトすることは、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを含み、
前記第１のタイプのハイライトについて、前記第１と第２のスクリーン領域の明るさの差が徐々に変化し、
前記第２のタイプのハイライトについて、前記第１と第２のスクリーン領域の明るさの差が、前記第１のタイプのハイライトよりも、より急峻に変化ことを特徴とする請求項２０に記載の方法。
【請求項２４】
アイテムをハイライトすることは、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを含み、
前記第１のタイプのハイライトについて、前記第１と第２のスクリーン領域の明るさの差が徐々に変化し、
前記第２のタイプのハイライトについて、前記第１と第２のスクリーン領域の明るさの差が、徐々に変化しないことを特徴とする請求項２０に記載の方法。
【請求項２５】
他のアイテムの前記メタデータよりも、前記ユーザー入力に一致するアイテムのメタデータの判断に応じて、前記アイテムの少なくともサブセットをハイライトすることは、
第１のタイプのハイライトを用いて、一致度の高いメタデータを含むアイテムを表さない少なくとも１つのアイテムをハイライトし、
前記第１のタイプのハイライトと視覚的に区別可能な第２のタイプのハイライトを用いて、前記一致度の高いメタデータを含むアイテムを表す前記アイテムをハイライトする
ことを含むことを特徴とする請求項１に記載の方法。
【請求項２６】
前記アイテムの少なくともサブセットをハイライトすることは、
少なくとも２つの前記アイテムが前記ユーザー入力に一致すると判断すると、第１のタイプのハイライトを用いて、前記一致したアイテムを表す前記アイテムをハイライトし、
１つの前記アイテムのみが前記ユーザー入力に少なくとも一部が一致すると判断すると、第２のタイプのハイライトを用いて、前記一致するアイテムを表す前記アイテムをハイライトする
ことを含むことを特徴とする請求項１に記載の方法。
【請求項２７】
前記ユーザー入力は、テキスト列を表すキー入力を含むことを特徴とする請求項１に記載の方法。
【請求項２８】
ハイライトされた各アイテムは、検索語の少なくとも一部に少なくとも一部が一致するメタデータを有する少なくとも１つのファイルを含む少なくとも１つのディレクトリを表すことを特徴とする請求項１に記載の方法。
【請求項２９】
ハイライトされた各アイテムは、検索語の少なくとも一部に少なくとも一部が一致するタイトルを有する少なくとも１つのファイルを含むディレクトリを表すことを特徴とする請求項２８に記載の方法。
【請求項３０】
前記少なくとも１つのファイルはテキスト本文を有し、ハイライトされた各アイテムは、検索語の少なくとも一部に少なくとも一部が一致するテキスト本文を有する少なくとも１つのファイルを含むディレクトリを表すことを特徴とする請求項２８に記載の方法。
【請求項３１】
前記アイテムは、ユーザーがアクティブにすることができることを特徴とする請求項１に記載の方法。
【請求項３２】
前記ハイライトされたアイテムは、ユーザーがアクティブにすることができ、ハイライトされていないアイテムは、ユーザーがアクティブにすることができないことを特徴とする請求項１に記載の方法。
【請求項３３】
複数のアイテムを含むユーザーインターフェース表示において、検索結果に対応するアイテムをハイライトするための方法であって、
検索語の少なくとも一部を表すユーザー入力を受信し、
検索コマンドを表すユーザー入力の受信に応じて、前記ユーザー入力に基づいて少なくとも前記アイテムのサブセットをハイライトし、
ハイライトされた各アイテムは、検索語の前記少なくとも一部に少なくとも一部が一致するメタデータを有する少なくとも１つのアイテムを表すことを特徴とする方法。
【請求項３４】
検索コマンドを表す前記ユーザー入力は、エンターキーをアクティブにすることを含むことを特徴とする請求項３３に記載の方法。
【請求項３５】
複数のアイテムを含むユーザーインターフェース表示において、検索結果に対応するアイテムをハイライトするための方法であって、
検索語の少なくとも一部を表すユーザー入力を受信し、
予め設定された長さを超えるユーザー入力の中断に応じて、前記ユーザー入力に基づいて少なくとも前記アイテムのサブセットをハイライトし、
ハイライトされた各アイテムは、検索語の前記少なくとも一部に少なくとも一部が一致するメタデータを有する少なくとも１つのアイテムを表すことを特徴とする方法。
【請求項３６】
複数のアイテムを含むユーザーインターフェース表示において、検索結果に対応するアイテムをハイライトするための方法であって、
少なくとも１つのキー入力を含む、検索語の最初の部分を表すユーザー入力を受け付け、
前記ユーザー入力に応じて、少なくとも前記アイテムのサブセットをハイライトし、ハイライトされた各アイテムは、前記検索語の前記最初の部分に少なくとも一部が一致するメタデータを有するアイテムを表し、
少なくとも１つのキー入力を含む、前記検索語の追加部分を表す、追加ユーザー入力を受信し、
前記追加ユーザー入力に応じて、少なくとも前記アイテムの前記サブセットのハイライトを更新し、ハイライトされた各アイテムが、前記検索語の最初の部分と前記検索語の前記追加部分とに少なくとも一部が一致するメタデータを有するアイテムを表す
ことを特徴とする方法。
【請求項３７】
前記検索語の前記最初の部分に少なくとも一部が一致するメタデータを有するアイテムは、第１のタイプのハイライトを用いてハイライトされ、前記検索語の最初の部分と前記検索語の追加部分との合成に少なくとも一部が一致するメタデータを有するアイテムを、前記第１のタイプのハイライトと異なる第２のタイプのハイライトを用いてハイライトすることを特徴とする請求項３６に記載の方法。
【請求項３８】
各アイテムがコンテナを表す複数のアイテムを含むユーザーインターフェース表示において、検索結果に対応するアイテムをハイライトするための方法であって、
検索語の少なくとも一部を表すユーザー入力を受信し、
ユーザー入力に応じて、
検索語の前記少なくとも一部に少なくとも一部が一致するテキストを有するアイテムのリストを含むポップアプメニューを表示し、メニューアイテムにリストされた各アイテムは、アイテムの１つにより表される少なくとも１つのコンテナ内のアイテムに対応し、
同時に、前記アイテムの少なくともサブセットを、第１のタイプのハイライトを用いてハイライトし、ハイライトされた各アイテムは、メニュー内のアイテムに少なくとも一部が一致するテキストを有するアイテムを含むコンテナを表し、
トリガーイベントに応じて、
ポップアップメニュー内のアイテムをハイライトし、
同時に、前記第１のタイプのハイライトと視覚的に区別可能な第２のタイプのハイライトを用いてアイテムをハイライトし、前記ハイライトされたアイテムは、メニュー内のハイライトされたアイテムに少なくとも一部が一致するテキストを有するアイテムを含むコンテナを表す
ことを特徴とする方法。
【請求項３９】
前記トリガーイベントは、前記メニューアイテムの１つにあるテキストに少なくとも一部が一致する完全な単語を表すユーザー入力を含み、ポップアップメニュー内のアイテムをハイライトすることは、前記一致するテキストを有する前記アイテムをハイライトすることを含むことを特徴とする請求項３８に記載の方法。
【請求項４０】
前記トリガーイベントは、動くハイライトをメニューアイテムへユーザーが動かすことを含み、前記ポップアップメニューで前記アイテムをハイライトすることは、前記ユーザーが動かした先のアイテムをハイライトすることを含むことを特徴とする請求項３８に記載の方法。
【請求項４１】
前記トリガーイベントは、前記ポップアップメニューの一つのアイテムがポップアップメニューの他のアイテムよりも一致度が高いとの判断を含み、前記ポップアップメニューのアイテムをハイライトすることは、より一致度の高いことを表すアイテムをハイライトすることを含むことを特徴とする請求項３８に記載の方法。
【請求項４２】
各アイテムが、主要なテキストを有するアイテムと、代替テキストを有する前記アイテムの少なくともサブセットを含むコンテナを表す、複数のアイテムを含むユーザーインターフェース表示において、検索結果に対応するアイテムをハイライトするための方法であって、
検索語の少なくとも一部を表すユーザー入力を受信し、
ユーザー入力の受信に応じて、少なくとも前記アイテムのサブセットをハイライトし、
ハイライトされた各アイテムは、検索語の前記少なくとも一部に少なくとも一部が一致する主要または代替テキストのいずれか１つを有するアイテムを含むコンテナを表し、
少なくとも１つのハイライトされたアイテムは、検索語の少なくとも一部に一致しないテキストラベルを有することを特徴とする方法。
【請求項４３】
少なくとも１つのアイテムについて、前記代替テキストは、前記検索語の代替用語を表すことを特徴とする請求項４２に記載の方法。
【請求項４４】
少なくとも１つのアイテムについて、前記代替テキストは、前記主要テキストの綴り間違えを表すことを特徴とする請求項４２に記載の方法。
【請求項４５】
少なくとも１つのアイテムについて、前記代替テキストは前記主要テキストの代替綴りを表すことを特徴とする請求項４２に記載の方法。
【請求項４６】
表示画面上でアイテムをハイライトする方法であって、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを実行することを特徴とする方法。
【請求項４７】
前記第１のスクリーン領域は、円形であることを特徴とする請求項４６に記載の方法。
【請求項４８】
前記アイテムが前記表示画面のウィンドウ内に表示され、前記第２のスクリーン領域は、前記第１のスクリーン領域を含まないウィンドウ内の残りの領域を含むことを特徴とする請求項４６に記載の方法。
【請求項４９】
前記第２のスクリーン領域は、前記第１のスクリーン領域を含まない前記表示画面の残りの領域を含むことを特徴とする請求項４６に記載の方法。
【請求項５０】
前記第１と第２のスクリーン領域間の明るさの差は、徐々に変化することを特徴とする請求項４６に記載の方法。
【請求項５１】
表示画面上で少なくとも２つのアイテムをハイライトする方法であって、
第１のアイテムを直ぐに囲む第１のスクリーン領域と、第２のアイテムを直ぐに囲む第２のスクリーン領域を明るくし、
前記表示画面の少なくとも別の部分を暗くし、
前記第１及び第２のスクリーン領域よりも、前記表示画面の前記少なくとも別の部分の領域が暗くなるようにすること
の少なくとも１つを実行することを特徴とする方法。
【請求項５２】
前記表示画面の前記少なくとも別の部分の領域が、前記第１及び第２のスクリーン領域を囲むことを特徴とする請求項５１に記載の方法。
【請求項５３】
前記第１のスクリーン領域は、前記第２のスクリーン領域よりも暗いことを特徴とする請求項５１に記載の方法。
【請求項５４】
前記第１及び第３のスクリーン領域間の明るさの差は徐々に変化し、
前記第２及び第３のスクリーン領域間の明るさの差は徐々に変化し、変化の仕方が、前記第１及び第３のスクリーン領域間の明るさの差の変化の仕方よりも急峻である
ことを特徴とする請求項５１に記載の方法。
【請求項５５】
前記第１及び第３のスクリーン領域間の明るさの差は徐々に変化し、
前記第２及び第３のスクリーン領域間の明るさの差は徐々に変化しない
ことを特徴とする請求項５１に記載の方法。
【請求項５６】
各アイテムが、テキストを有する少なくとも１つのシステム環境設定制御を含む環境設定ペインを表す複数のアイテムを含むユーザーインターフェース表示において、検索結果に対応するアイテムをハイライトするための方法であって、
検索語の少なくとも一部を表すユーザー入力を受信し、
少なくとも１つのシステム環境設定制御のための前記テキストに一致する前記ユーザー入力に応じて、前記ユーザー入力にテキストが一致する環境設定制御を有する環境設定ペインを表す少なくとも１つのアイテムをハイライトする
ことを特徴とする方法。
【請求項５７】
ヘルプ機能に関連するテキストに一致する前記ユーザー入力に応じて、ヘルプ機能を表すアイテムをハイライトする
ことを更に含むこと特徴とする請求項５６に記載の方法。
【請求項５８】
少なくとも１つのアプリケーション環境設定制御のためのテキストに一致する前記ユーザー入力に応じて、
前記アプリケーション、
前記アプリケーション環境設定制御、
前記アプリケーションに対応する環境設定ペイン
の少なくとも１つを表す少なくとも１つのアイテムをハイライトする
ことを更に含むこと特徴とする請求項５６に記載の方法。
【請求項５９】
ヘルプ機能に関連するテキストに一致する前記ユーザー入力に応じて、ヘルプ機能を表すアイテムをハイライトし、
少なくとも１つのアプリケーション環境設定制御のためのテキストに一致する前記ユーザー入力に応じて、
前記アプリケーション、
前記アプリケーション環境設定制御、
前記アプリケーションに対応する環境設定ペイン
の少なくとも１つを表す少なくとも１つのアイテムをハイライトする
ことを更に含むこと特徴とする請求項５６に記載の方法。
【請求項６０】
各アイテムが、テキストを有する少なくとも１つのシステム環境設定制御を含む環境設定ペインを表す複数のアイテムを含むユーザーインターフェース表示において、検索結果に対応するアイテムをハイライトするための方法であって、
検索語の少なくとも一部を表すユーザー入力を受信し、
少なくとも１つのシステム環境設定制御のための前記テキストに一致する前記ユーザー入力に応じて、前記ユーザー入力にテキストが一致する環境設定制御を有する環境設定ペインを表す少なくとも１つのアイテムをハイライトし、
少なくとも１つのシステム環境設定制御のための前記テキストに一致しない前記ユーザー入力に応じて、
ヘルプ機能に関連するテキストに一致する前記ユーザー入力に応じて、ヘルプ機能を表すアイテムをハイライトし、
少なくとも１つのアプリケーション環境設定制御のためのテキストに一致する前記ユーザー入力に応じて、
前記アプリケーション、
前記アプリケーション環境設定制御、
前記アプリケーションに対応する環境設定ペイン
の少なくとも１つを表す少なくとも１つのアイテムをハイライトする
ことを特徴とする方法。
【請求項６１】
複数のスクリーン上のアイテムを含むユーザーインターフェース表示において、検索結果に対応するスクリーン上のアイテムをハイライトするための方法であって、
検索語の少なくとも一部を表すユーザー入力を受信し、
前記ユーザー入力に応じて、少なくとも前記スクリーン上のアイテムのサブセットをハイライトし、
ハイライトされたスクリーン上の各アイテムは、検索語の前記少なくとも一部に少なくとも一部が一致するテキストを有する少なくとも１つのアイテムを含むコンテナを表し、
ハイライトされた少なくとも１つのスクリーン上のアイテムは、検索語の前記少なくとも一部に一致しないテキストラベルを有する
ことを特徴とする方法。
【請求項６２】
複数のアイテムを含むユーザーインターフェース表示において、検索結果に対応するアイテムをハイライトするための方法であって、
検索語の少なくとも一部を表すユーザー入力を受信し、
前記ユーザー入力に応じて、少なくとも前記アイテムのサブセットをハイライトし、
ハイライトされた各アイテムは、検索語の前記少なくとも一部に少なくとも一部が一致するテキストを有する少なくとも１つのアイテムを含むコンテナを表し、
ハイライトされた少なくとも１つのアイテムは、検索語の前記少なくとも一部に一致しないテキストラベルを有する
ことを特徴とする方法。
【請求項６３】
複数のアイテムを含むユーザーインターフェース表示において、検索結果に対応するアイテムをハイライトするための方法であって、
検索語の少なくとも一部を表すユーザー入力に応じて、少なくとも前記アイテムのサブセットをハイライトし、
ハイライトされた各アイテムは、検索語の前記少なくとも一部に少なくとも一部が一致するメタデータを有する
ことを特徴とする方法。
【請求項６４】
複数のアイテムを含むユーザーインターフェース表示において、検索結果に対応するスクリーン上のアイテムをハイライトするための方法であって、
検索語の少なくとも一部を表し、アイテムに関連するメタデータに少なくとも一部が一致する、ユーザー入力に応じて、前記アイテムを含むコンテナを表す少なくとも１つのスクリーン上のアイテムをハイライトする
ことを特徴とする方法。
【請求項６５】
前記コンテナは環境設定ペインを含み、前記アイテムは環境設定制御を含むことを特徴とする請求項６４に記載の方法。
【請求項６６】
前記少なくとも１つのスクリーン上のアイテムは、少なくとも１つのアイテムを含むことを特徴とする請求項６４に記載の方法。
【請求項６７】
コンピュータに、複数のアイテムを含むユーザーインターフェース表示において、検索結果に対応するアイテムをハイライトさせるためのコンピュータプログラムであって、
検索語の少なくとも一部を表すユーザー入力に応じて、少なくとも前記アイテムのサブセットをハイライトする工程と、
ハイライトされた各アイテムは、検索語の前記少なくとも一部に少なくとも一部が一致するメタデータを有する少なくとも１つのアイテムを表す工程と
を実行させるためのコンピュータプログラム。
【請求項６８】
少なくとも１つのハイライトされたアイテムは、検索語の前記少なくとも一部に一致しないテキストラベルを含むことを特徴とする請求項６７に記載のコンピュータプログラム。
【請求項６９】
前記メタデータはテキストを含むことを特徴とする請求項６７に記載のコンピュータプログラム。
【請求項７０】
ハイライトされた各アイテムは、コンテナを表すことを特徴とする請求項６７に記載のコンピュータプログラム。
【請求項７１】
前記アイテムの少なくともサブセットをハイライトするための前記コンピュータプログラムコードは、
第１のタイプのハイライトを用いて、前記アイテムの少なくとも１つをハイライトし、
前記第１のタイプのハイライトと視覚的に区別可能な第２のタイプのハイライトを用いて、前記アイテムの少なくとも１つをハイライトする
コンピュータプログラムコードを含むことを特徴とする請求項６７に記載のコンピュータプログラム。
【請求項７２】
コンピュータに、複数のアイテムを含むユーザーインターフェース表示において、検索結果に対応するアイテムをハイライトさせるためのコンピュータプログラムであって、
少なくとも１つのキー入力を含む、検索語の最初の部分を表すユーザー入力を受信する工程とし、
前記ユーザー入力に応じて、少なくとも前記アイテムのサブセットをハイライトし、ハイライトされた各アイテムは、前記検索語の前記最初の部分に少なくとも一部が一致するメタデータを有するアイテムを表す工程と、
少なくとも１つのキー入力を含む、前記検索語の追加部分を表す、追加ユーザー入力を受信する工程と、
前記追加ユーザー入力に応じて、少なくとも前記アイテムの前記サブセットのハイライトを更新し、ハイライトされた各アイテムが、前記検索語の最初の部分と前記検索語の前記追加部分とに少なくとも一部が一致するメタデータを有するアイテムを表す工程と
を実行させるためのコンピュータプログラム。
【請求項７３】
コンピュータに、表示画面上でアイテムをハイライトさせるためのコンピュータプログラムであって、
前記アイテムを直ぐに囲む第１のスクリーン領域を明るくする工程と、
前記第１のスクリーン領域を囲む第２のスクリーン領域を暗くする工程と、
前記第２のスクリーン領域が前記第１のスクリーン領域よりも暗くなるようにする工程と
の少なくとも１つを実行させるためのコンピュータプログラム。
【請求項７４】
コンピュータに、複数のアイテムを含むユーザーインターフェース表示において、検索結果に対応するアイテムをハイライトさせるためのコンピュータプログラムであって、
検索語の少なくとも一部を表すユーザー入力に応じて、少なくとも前記アイテムのサブセットをハイライトする工程を実行させ、
ハイライトされた各アイテムは、検索語の前記少なくとも一部に少なくとも一部が一致するメタデータを有する
ことを特徴とするコンピュータプログラム。
【請求項７５】
コンピュータに、検索結果に対応するスクリーン上のアイテムをハイライトさせるためのコンピュータプログラムであって、
検索語の少なくとも一部を表し、アイテムに関連するメタデータに少なくとも一部が一致する、ユーザー入力に応じて、前記アイテムを含むコンテナを表す少なくとも１つのスクリーン上のアイテムをハイライトする工程
を実行させるためのコンピュータプログラム。
【請求項７６】
前記コンテナは環境設定ペインを含み、前記アイテムは環境設定制御を含むことを特徴とする請求項７５に記載のコンピュータプログラム。
【請求項７７】
前記少なくとも１つのスクリーン上のアイテムは、少なくとも１つのアイテムを含むことを特徴とする請求項７５に記載のコンピュータプログラム。
【請求項７８】
検索結果に対応するアイテムをハイライトするためのシステムであって、
検索語の少なくとも一部を表すユーザー入力を受け付けるための入力デバイスと、
前記ユーザー入力を処理するための、前記入力デバイスに連結した処理部と、
複数のアイテムを含むユーザーインターフェースを表示し、少なくとも前記アイテムのサブセットをハイライトするための、前記処理部に連結した表示デバイスとを有し、
ハイライトされた各アイテムは、検索語の前記少なくとも一部に少なくとも一部が一致するメタデータを有する少なくとも１つのアイテムを表すことを特徴とするシステム。
【請求項７９】
少なくとも１つのハイライトされたアイテムは、検索語の前記少なくとも一部に一致しないテキストラベルを含むことを特徴とする請求項７８に記載のシステム。
【請求項８０】
前記メタデータはテキストを含むことを特徴とする請求項７８に記載のシステム。
【請求項８１】
ハイライトされた各アイテムは、コンテナを表すことを特徴とする請求項７８に記載のシステム。
【請求項８２】
前記表示デバイスは、
第１のタイプのハイライトを用いて、前記アイテムの少なくとも１つをハイライトし、
前記第１のタイプのハイライトと視覚的に区別可能な第２のタイプのハイライトを用いて、前記アイテムの少なくとも１つをハイライトする
ことを特徴とする請求項７８に記載のシステム。
【請求項８３】
検索結果に対応するアイテムをハイライトするためのシステムであって、
少なくとも１つのキー入力を含む、検索語の最初の部分を表すユーザー入力を受け付けるための入力デバイスと、
前記ユーザー入力を処理するための、前記入力デバイスに連結した処理部と、
複数のアイテムを含むユーザーインターフェースを表示し、前記ユーザー入力に応じて、少なくとも前記アイテムのサブセットをハイライトするための、前記処理部に連結した表示デバイスとを有し、ハイライトされた各アイテムは、前記検索語の前記最初の部分に少なくとも一部が一致するメタデータを有するアイテムを表し、
前記入力デバイスが少なくとも１つのキー入力を含む、前記検索語の追加部分を表す追加ユーザー入力を受け付けたことに応じて、前記表示デバイスは少なくとも前記アイテムの前記サブセットのハイライトを更新し、ハイライトされた各アイテムが、前記検索語の前記追加部分を加えた前記検索語の最初の部分に少なくとも一部が一致するメタデータを有するアイテムを表す
ことを特徴とするシステム。
【請求項８４】
表示画面上でアイテムをハイライトするためのシステムであって、
少なくとも１つのアイテムを含むユーザーインターフェースを表示するための処理部と、
前記処理部に連結し、
前記アイテムを直ぐに囲む第１のスクリーン領域を明るくし、
前記第１のスクリーン領域を囲む第２のスクリーン領域を暗くし、
前記第２のスクリーン領域が前記第１のスクリーン領域よりも暗くなるようにすること
の少なくとも１つを実行するための表示デバイスと
を有することを特徴とするシステム。
【請求項８５】
検索結果に対応するアイテムをハイライトするためのシステムであって、
検索語の少なくとも一部を表すユーザー入力を受け付けるための入力デバイスと、
前記ユーザー入力を処理するための、前記入力デバイスに連結した処理部と、
複数のアイテムを含むユーザーインターフェースを表示し、検索語の少なくとも一部を表すユーザー入力に応じて、少なくとも前記アイテムのサブセットをハイライトするための、前記処理部に連結した表示デバイスとを有し、
ハイライトされた各アイテムは、検索語の前記少なくとも一部に少なくとも一部が一致するメタデータを有することを特徴とするシステム。
【請求項８６】
検索結果に対応するスクリーン上のアイテムをハイライトするためのシステムであって、
検索語の少なくとも一部を表すユーザー入力を受け付けるための入力デバイスと、
前記ユーザー入力を処理するための、前記入力デバイスに連結した処理部と、
複数のアイテムを含むユーザーインターフェースを表示し、検索語の少なくとも一部を表し、アイテムに関連するメタデータに少なくとも一部が一致するユーザー入力に応じて、前記アイテムを含むコンテナを表す少なくとも１つのスクリーン上のアイテムをハイライトするための、前記処理部に連結した表示デバイスと
を有することを特徴とするシステム。
【請求項８７】
前記コンテナは環境設定ペインを含み、前記アイテムは環境設定制御を含むことを特徴とする請求項８６に記載のシステム。
【請求項８８】
前記少なくとも１つのスクリーン上のアイテムは、少なくとも１つのアイテムを含むことを特徴とする請求項８６に記載のシステム。
【請求項８９】
検索結果に対応するアイテムをハイライトするためのユーザーインターフェースであって、
複数のアイテムを含む表示領域を含み、検索語の少なくとも一部を表すユーザー入力に応じて、少なくとも前記アイテムのサブセットがハイライトされ、
ハイライトされた各アイテムは、検索語の前記少なくとも一部に少なくとも一部が一致するメタデータを有する少なくとも１つのアイテムを表す
ことを特徴とするユーザーインターフェース。
【請求項９０】
表示画面上でアイテムをハイライトするためのユーザーインターフェースであって、
前記アイテムを直ぐに囲む第１のスクリーン領域と、
前記第１のスクリーン領域を囲む第２のスクリーン領域とを有し、
前記第２のスクリーン領域が前記第１のスクリーン領域よりも暗ことを特徴とするユーザーインターフェース。
【請求項９１】
各アイテムは、アイコンを含むことを特徴とする請求項１に記載の方法。
【請求項９２】
各アイテムは、アイコンを含むことを特徴とする請求項４６に記載の方法。
【請求項９３】
各アイテムは、アイコンを含むことを特徴とする請求項６７に記載のコンピュータプログラム。
【請求項９４】
各アイテムは、アイコンを含むことを特徴とする請求項７８に記載のシステム。
【請求項９５】
各アイテムは、アイコンを含むことを特徴とする請求項８９に記載のユーザーインターフェース。